(57)【要約】【課題】靴を履いた状態だけでなく靴を脱いだリラックスした状態で足裏を指圧することができるようにして、足裏指圧具によるマッサージ効果を向上させること。【解決手段】本発明では、足の裏側に多数存在するつぼを刺激して足裏の指圧を行うための足裏指圧具（１）において、足（２）を載置する足載せ台（３）に足裏を刺激する指圧体（４）を取付けることにした。また、前記指圧体（４）は、足載せ台（３）に回転軸（８）を足裏の伸延方向に直交させて取付けるとともに、回転軸（８）に回転体（９）を回転自在に設けることにした。さらに、前記回転軸（８）は、足裏の伸延方向に伸縮可能な素材で形成することにした。【選択図】図１
2013106710.tif 000002
【特許請求の範囲】
【請求項１】
足を載置する足載せ台に足裏を刺激する指圧体を取付けたことを特徴とする足裏指圧具。
【請求項２】
前記指圧体は、足載せ台に回転軸を足裏の伸延方向に直交させて設けるとともに、回転軸に回転体を回転自在に設けたことを特徴とする請求項１に記載の足裏指圧具。
【請求項３】
前記回転軸は、足裏の伸延方向に伸縮可能な素材で形成したことを特徴とする請求項２に記載の足裏指圧具。
【発明の詳細な説明】
【技術分野】
【０００１】
本発明は、足裏指圧具に関するものである。
【背景技術】
【０００２】
足の裏側には多数のつぼが存在しており、足の裏側のつぼを突起等で押圧することでマッサージ効果が得られることが知られている。
【０００３】
この足裏のマッサージは、専門者に行ってもらうことも、また、自ら行うことも可能であるが、足裏指圧具を用いて歩行中に行うこともできる。
【０００４】
この足裏指圧具は、足の裏側のつぼを突起等で刺激して足裏の指圧を行えるように構成しており、具体的には、靴の中敷きに突起等を固定的に取付けた構造のものが知られている（たとえば、特許文献１参照。）。
【先行技術文献】
【特許文献】
【０００５】
【特許文献１】実開平７−２２７３８号公報
【発明の概要】
【発明が解決しようとする課題】
【０００６】
ところが、上記従来の足裏指圧具は、靴の中敷きに突起等を固定的に取付けているために、靴を履いた状態でしか足裏の指圧を行うことができないものであった。
【０００７】
そのため、靴を履いた状態よりもリラックスした靴を脱いだ状態で足裏を指圧することができず、マッサージ効果が低減してしまうおそれがあった。
【課題を解決するための手段】
【０００８】
そこで、本発明では、足裏指圧具において、足を載置する足載せ台に足裏を刺激する指圧体を取付けることにした。
【０００９】
また、前記指圧体は、足載せ台に回転軸を足裏の伸延方向に直交させて設けるとともに、回転軸に回転体を回転自在に設けることにした。
【００１０】
また、前記回転軸は、足裏の伸延方向に伸縮可能な素材で形成することにした。
【発明の効果】
【００１１】
そして、本発明では、以下に記載する効果を奏する。
【００１２】
すなわち、本発明では、足裏指圧具において、足を載置する足載せ台に足裏を刺激する指圧体を取付けているために、靴を履いた状態だけでなく靴を脱いだリラックスした状態で足裏を指圧することができるので、足裏指圧具のマッサージ効果を向上させることができる。
【００１３】
特に、指圧体の構成として、足載せ台に回転軸を足裏の伸延方向に直交させて設けるとともに、回転軸に回転体を回転自在に設けた構成とした場合には、足裏を前後に移動させることで回転体の回転によって足裏のあらゆる部位を刺激することができるので、より一層マッサージ効果を向上させることができる。
【００１４】
また、回転軸を足裏の伸延方向に伸縮可能な素材で形成した場合には、足裏を前後に移動させることで回転体の回転だけでなく回転体の移動によっても足裏を刺激することができるので、これによってもより一層マッサージ効果を向上させることができる。
【図面の簡単な説明】
【００１５】
【図１】足裏指圧具を示す平面図（ａ）、右側面図（ｂ）。
【図２】指圧体を示す平面図（ａ）、正面図（ｂ）、右側面図（ｃ）。
【図３】他の足裏指圧具を示す平面図。
【図４】他の足裏指圧具を示す平面図（ａ）、右側面図（ｂ）。
【発明を実施するための形態】
【００１６】
以下に、本発明に係る足裏指圧具の具体的な構成について図面を参照しながら説明する。
【００１７】
図１及び図２に示すように、足裏指圧具１は、足２を載置する足載せ台３に足裏を刺激する指圧体４を着脱自在に（位置変更可能に）取付けた構成となっている。
【００１８】
足載せ台３は、足裏の形状よりも一回り大きくしたベース５の上面に面ファスナー６を貼着している。なお、足載せ台３は、足２を載置できればよく、足裏とほぼ同一形状となっていてもよく、足裏とは異なる形状となっていてもよい。
【００１９】
指圧体４は、ベース７に回転軸８を取付け、回転軸８に回転体９を取付けている。なお、指圧体４は、全て同一サイズのものであってもよく、それぞれ異なるサイズであってもよい。また、指圧体４は、足載せ台３に固定的に取付けた構成としてもよいが、足載せ台３に着脱自在に取付けた構成とすることで、指圧したい部位に指圧体４を適宜移動させることができる。
【００２０】
ベース７は、円形状となっており、裏面に面ファスナー10を取付けている。この面ファスナー10は、足載せ台３に設けた面ファスナー６と対を成して着脱自在に接合する。
【００２１】
回転軸８は、伸縮性を有する糸状のゴム等からなり、足裏の伸延方向（前後方向）に直交させた状態で両端部をベース７に取付けている。この回転軸８は、両端部を基点として足裏の伸延方向（前後方向）やそれと直交する方向（左右方向）に伸縮する。
【００２２】
回転体９は、球状の木材やゴムやプラスチックなどからなり、中央部に足裏の伸延方向に直交する方向に向けて伸延する貫通孔11が形成され、その貫通孔11に回転軸８が挿通されている。
【００２３】
足裏指圧具１は、以上に説明したように構成しており、足２を足載せ台３に載置することで、指圧体４の回転体９が足裏を刺激して足裏をマッサージする。
【００２４】
このように、上記足裏指圧具１は、足２を載置する足載せ台３に足裏を刺激する指圧体４を取付けた構成となっている。
【００２５】
そのため、上記構成の足裏指圧具１では、靴を履いた状態だけでなく靴を脱いだリラックスした状態でも足裏を指圧することができるので、足裏指圧具１によるマッサージ効果を向上させることができる。
【００２６】
また、上記足裏指圧具１は、指圧体４の構成として、足載せ台３に回転軸８を足裏の伸延方向に直交させて設けるとともに、回転軸８に回転体９を回転自在に設けた構成としている。
【００２７】
そのため、上記構成の足裏指圧具１では、足裏を前後（伸延方向）に移動させることで回転体９の回転によって足裏のあらゆる部位を広く刺激することができ、足裏指圧具１によるマッサージ効果をより一層向上させることができる。
【００２８】
さらに、上記足裏指圧具１は、回転軸８を足裏の伸延方向に伸縮可能な素材で形成している。
【００２９】
そのため、上記構成の足裏指圧具１では、足裏を前後（伸延方向）に移動させることで回転体９が前後に回転しながら移動することになり、回転体９の回転だけでなく回転体９の移動（滑り）によっても足裏を刺激することができるので、これによっても足裏指圧具１によるマッサージ効果をより一層向上させることができる。
【００３０】
上記足裏指圧具１では、足載せ台３の形状を足裏とほぼ同一形状としているために、床上に載置して使用することもでき、また、靴の中敷きとして使用することで歩行中にマッサージ効果を得るようにすることもできる。
【００３１】
また、図３（ａ）に示す足裏指圧具12のように、足載せ台３に帯状のカバー13を取付け、カバー13の左側端部表面と右側端部裏面とに互いに接合し合う面ファスナー14,15を取付けることで、カバー13を用いて足２に装着できるようにして、履物として利用することもできる。
【００３２】
また、図３（ｂ）に示す足裏指圧具16のように、枠状の足載せ台17に足裏の伸延方向と直交する方向（左右方向）に伸延する回転軸18を前後に間隔をあけて取付け、各回転軸18に複数個の大小の球状の回転体19を回転自在に取付けた構成とすることもできる。この場合には、各回転軸18と複数個の回転体19とで指圧体20を構成している。なお、この場合にも、回転軸18を足裏の伸延方向（前後方向）に伸縮可能な素材で形成することもできる。
【００３３】
さらに、図４に示す足裏指圧具21のように、弾性素材からなる凸型状の指圧体22を着脱自在に取付けた構成とすることもできる。
【符号の説明】
【００３４】
１  足裏指圧具                          ２  足
３  足載せ台                            ４  指圧体
５  ベース                              ６  面ファスナー
７  ベース                              ８  回転軸
９  回転体                              10  面ファスナー
11  貫通孔                              12  足裏指圧具
13  カバー                              14,15  面ファスナー
16  足裏指圧具                          17  足載せ台
18  回転軸                              19  回転体
20  指圧体                              21  足裏指圧具
22  指圧体
【図１】
2013106710.tif 000003
【図２】
2013106710.tif 000004
【図３】
2013106710.tif 000005
【図４】
2013106710.tif 000006